(57)【特許請求の範囲】
【請求項１】
基板に設けられているシャッタ開口と、このシャッタ開口を開閉可能な複数のセクタと、アクチュエータにより駆動されることにより前記複数のセクタを作動する作動部材とを具備しており、
前記作動部材は、前記セクタに設けられた貫通孔を貫通して、前記セクタを作動する駆動ピンを有し、
前記駆動ピンは、前記シャッタ開口の全閉時に移動規制手段に当接することにより移動を規制され、
少なくとも１つの前記セクタの前記貫通孔は、前記駆動ピンとの間に隙間を有し、当該隙間は、前記セクタが全閉状態に移動して駆動ピンが前記移動規制手段に衝突した際に、前記駆動ピンがバウンドする方向に設定されている
ことを特徴とするカメラ用シャッタ。
【発明の詳細な説明】
【０００１】
【発明の属する技術分野】
本発明はカメラ用シャッタに関するものである。
【０００２】
【従来の技術】
従来のカメラ用シャッタの一例として、図４〜６に示すように、アクチュエータのロータ軸により回動される駆動レバー２６に駆動ピン２７を設け、この駆動ピン２７を基板２１に設けた穴部２１ｂを貫通して突出させ、その突出端をセクタ２４及び２５に開設した貫通孔２４ｂ及び２５ｂに貫通させたものがある。セクタ２４及び２５は軸２２及び軸２３を中心に回動自在である。駆動ピン２７は貫通孔２４ｂ及び２５ｂに摺接するように構成されている。
【０００３】
【発明が解決しようとする課題】
前記の従来の構成によれば、図４に示すシャッタ全開状態では、駆動ピン２７は穴部２１ｂの一端部に接触するとともに、セクタ２４の凹部に軸２３が接触して停止している。図５に示すように、駆動レバー２６がロータ軸により回動されて駆動ピン２７が移動を始め、穴部２１ｂの端部から離れて駆動ピン２７の移動がセクタ２４及び２５に伝達され、図６に示すように駆動ピン２７が穴部２１ｂの他端部に接触するシャッタ全閉状態で、セクタ２４及び２５によりシャッタ開口２１ａが閉じられる。この全閉時に、駆動ピン２７が穴部２１ｂの他端部に衝突してバウンドするので、このバウンドに連動してセクタ２４及び２５が開閉方向に振動する。このためにセクタ２４と２５との重なり量が少ないと、全閉時にシャッタ開口２１ａが微少の開閉を繰り返すことになり、光が進入して再露光する危険がある。そこで再露光防止のためにはセクタ２４と２５との全閉時の重なり量を十分に大きく設定しなければならず、シャッタの小型化に反するとともにシャッタ羽根が大型になるためシャッタスピードの向上にも反するという問題点があった。
そこで本発明は、シャッタ全閉状態時の再露光を防止し、装置の小型化とシャッタスピードの向上を図る。
【０００４】
【課題を解決するための手段】
本発明のカメラ用シャッタは、基板に設けられているシャッタ開口と、このシャッタ開口を開閉可能な複数のセクタと、アクチュエータにより駆動されることにより前記複数のセクタを作動する作動部材とを具備しており、作動部材は、セクタに設けられた貫通孔を貫通して、セクタを作動する駆動ピンを有し、駆動ピンは、シャッタ開口の全閉時に移動規制手段に当接することにより移動を規制され、少なくとも１つのセクタの貫通孔は、駆動ピンとの間に隙間を有し、当該隙間は、セクタが全閉状態に移動して駆動ピンが移動規制手段に衝突した際に、駆動ピンがバウンドする方向に設定されていることを特徴としている。
【０００５】
この構成により、シャッタスピードが十分に加速してシャッタ開口を閉じた際に、作動部材がバウンドしても、貫通孔に隙間が設けてあることによって、当該セクタはバウンドに直接連動することがなく、慣性により更にシャッタ開口を閉鎖する方向へ移動することができる。したがって他のセクタがバウンドに連動してシャッタ開口を開放する方向へ移動する際にも、当該セクタは尚シャッタを閉鎖する方向へ移動し続けるので、セクタ間の全閉時の重なり量を最小限にしても再露光を生じることがない。このためにシャッタ羽根延いてはシャッタ全体を小型化でき、シャッタスピードも向上する。
【０００６】
【発明の実施の形態】
本発明の実施の一形態を図面に基づいて説明する。図１〜図３に示すように、シャッタ基板１にはシャッタ開口１ａが設けてあり、シャッタ基板１の表面側には、シャッタ開口１ａを開閉する１対のセクタ４及び５が、またシャッタ基板１の裏面側には、両セクタを駆動する作動部材である駆動レバー６及び駆動ピン７が配設してある。
【０００７】
両セクタ４及び５の先端部４ａ及び５ａは、協働してシャッタ開口１ａを閉鎖可能な形状に形成してある。セクタ４及び５はその基部でシャッタ基板１に設けられた軸２及び３を中心として揺動自在に設けてある。シャッタ基板１には、駆動レバー６の揺動角を規制する穴部１ｂが設けてあり、駆動レバー６の先端部に圧入固定してある駆動ピン７は、裏面側からこの穴部１ｂを貫通して表面側に突出している。
【０００８】
シャッタ基板１の裏面側には、前記の作動部材である駆動レバー６及び駆動ピン７を駆動する不図示のアクチュエータが配設してある。アクチュエータはコ字状の鉄心と、コ字状の一方の片に巻回されているコイルと、鉄心の磁極部と磁気的に結合可能なロータとからなっている。ロータのロータ軸は駆動レバー６の中心孔に嵌合し、ロータの回動により駆動レバー６を揺動駆動する。
【０００９】
両セクタ４及び５の基部近傍には、駆動ピン７が貫通する貫通孔４ｂ及び５ｂが設けてある。貫通孔５ｂは、駆動ピン７が貫通している状態のときに、駆動ピン７の移動方向、即ち穴部１ｂに沿う方向に常に駆動ピン７が摺接するように設定されている。また貫通孔４ｂは、駆動ピン７が貫通している状態のときに、駆動ピン７の移動方向、即ち穴部１ｂに沿う方向に外部に隙間ｘが存在するように設定されている。図１のシャッタ開口１ａの全開状態では、駆動ピン７は穴部１ｂの右端（シャッタ基板１の外周側）に当接し、貫通孔４ｂの隙間ｘは駆動ピン７の左側に位置し、またセクタ４はセクタ４の凹部４ｃに軸３が当接して位置決めされており、軸２はセクタ５の凹部５ｃに隙間をもって対向している。
従来からも貫通孔４ｂ及び５ｂの大きさは、駆動ピン７が貫通している状態のときに、駆動ピン７の移動方向の外部にわずかな隙間が存在している。しかし、これははめあい公差の隙間であって、０．０２〜０．０３ｍｍ程度の極めて小さい隙間である。本実施の形態では、貫通孔４ｂに駆動ピン７が貫通している状態のときの隙間ｘは意図的に大きくしてある。この意図のもとに隙間ｘは、本実施の形態では０．１８ｍｍに設定してあるが、シャッタの大きさ（慣性）やモータの特性等を考慮して決定され、およそ０．１〜０．３ｍｍに設定することが好ましい。
【００１０】
図３は、ロータの回転により駆動レバー６が図１の状態から反時計方向に揺動し、セクタ４及び５の先端部４ａ及び５ａがシャッタ開口１ａを閉鎖したシャッタ開口１ａの全閉状態を示している。このシャッタ開口１ａの全閉状態では、駆動ピン７が穴部１ｂの左端（シャッタ基板１の中心側）に当接し、貫通孔４ｂの隙間ｘは駆動ピン７の右側に位置している。
【００１１】
そこで、図１のシャッタ開口１ａの全開状態から、図３の全閉状態までセクタ４及び５を移動させて、シャッタ開口１ａを閉鎖する動作について以下に説明する。
セクタ４及び５を動作させるために、アクチュエータのコイルに駆動パルス信号が通電される。この通電によりロータが反時計方向に回転し、ロータ軸を介して駆動レバー６が反時計方向に揺動すると、先ず貫通孔５ｂを介してセクタ５が揺動され、駆動ピン７は穴部１ｂの右端から離れ、貫通孔４ｂに当接する図２の位置にくる。駆動ピン７が貫通孔４ｂに接した後は、駆動ピン７の移動によってセクタ４及び５が共に揺動駆動される。この揺動の際には、ロータの回転速度は十分に加速されているので、セクタ４及び５の移動スピードは大であり、図３のように駆動ピン７は穴部１ｂの左端に衝突してそれ以上の移動が阻止され、シャッタ開口１ａを閉じた状態にする。
【００１２】
駆動ピン７が穴部１ｂの左端に大きいスピードで衝突した際に、駆動ピン７はバウンドし、貫通孔５ｂを介してセクタ５にこのバウンドが伝達され、セクタ５はシャッタ開口１ａを開く方向に移動する。しかし、駆動ピン７と貫通孔４ｂとの間には隙間ｘを設けてあるので、セクタ４には駆動ピン７のバウンドが伝達されず、セクタ４は隙間ｘ分だけ慣性により更にシャッタ開口１ａを閉じる方向へ移動する。したがって、セクタ５が開く方向へ移動してもセクタ４が閉じる方向へ移動することにより、シャッタ開口１ａ上はセクタ４と５との所定の重なり状態が保たれ、駆動ピン７が穴部１ｂの左端に当接したシャッタ開口１ａの全閉時に、セクタ４と５との間が開いて再露光を生じることがない。前記の所定の重なり量は、露光しないための必要十分な量でよく、従来のように全閉状態のときに両セクタが駆動ピン７のバウンドに連動して開閉反対方向に移動する場合に比較して、少ない重なり量で十分閉鎖状態を保つことができる。したがってセクタの小型化が可能になり、セクタの小型化によりシャッタ基板１を小型化できるのでシャッタ全体を小型化でき、セクタが小型化されてセクタの重量が減るためシャッタスピードも向上する。
【００１３】
図３の状態から、コイルに逆方向の駆動パルス信号が通電され、ロータが時計方向に回転し、ロータ軸を介して駆動レバー６が時計方向に揺動すると、セクタ５は直ちに揺動を開始し、セクタ４は駆動ピン７が間隙ｘを通過する時間だけ僅か遅れて揺動を開始し、その後はセクタ４及び５は共に揺動して図１に示す位置に戻る。駆動ピン７が穴部１ｂの右端に当接したときにセクタ５は停止するが、セクタ４は更に慣性によりシャッタ開口１ａを開く方向に揺動し、セクタ４の凹部４ｃに軸３が当接したときにセクタ４も停止してシャッタ開口１ａの全開状態となる。駆動ピン７が穴部１ｂの右端に衝突した際にも駆動ピン７がバウンドするが、セクタ４の貫通孔４ｂには間隙ｘがあるため駆動ピン７がバウンドしてもセクタ４にはバウンドが伝達されない。
【００１４】
なお、前記の例では、貫通孔４ｂのみを駆動ピン７の外部に隙間ｘを有する構成としているが、貫通孔５ｂも同様に駆動ピン７の外部に隙間ｘを有する構成としてもよい。この場合には、シャッタ開口１ａの全閉時に、セクタ４及び５のいずれにも駆動ピン７のバウンドが伝達されず、慣性により両セクタ共に閉鎖方向に揺動するので、両者の重なり量は更に少なくてもよい。この場合には、シャッタ開口１ａの全開時、軸２にセクタ５の凹部５ｃが当接して位置決めされるようにする。
【００１５】
【発明の効果】
以上に説明したように、本発明のカメラ用シャッタは、複数のセクタのうちの少なくとも１つの貫通孔を、この貫通孔を貫通する作動部材の移動方向に隙間を有するように設定されているので、シャッタ開口の閉鎖時に作動部材の移動が急激に阻止されてバウンドが生じても、このバウンドにセクタが直接連動することがなく、慣性により更にシャッタ開口を閉鎖する方向へ移動することができる。したがって、複数のセクタ間の全閉状態における重なり量を最小限にしても、再露光を生じることがない。このために小型化でき、シャッタスピードを向上させることができる。
【図面の簡単な説明】
【図１】  本発明の実施の一形態を示すもので、シャッタ開口を開いた状態の正面図である。
【図２】  同、シャッタ開口を閉鎖する動作の初期状態を示す正面図である。
【図３】  同、シャッタ開口を閉じた状態の正面図である。
【図４】  従来のシャッタ開口を開いた状態の正面図である。
【図５】  図４のシャッタ開口を閉鎖する動作の初期状態を示す正面図である。
【図６】  図４のシャッタ開口を閉じた状態の正面図である。
【符号の説明】
１          シャッタ基板
１ａ        シャッタ開口
４，５      セクタ
４ｂ，５ｂ  貫通孔
６，７      作動部材
ｘ          隙間
【図１】
0004021246.tif 000002
【図２】
0004021246.tif 000003
【図３】
0004021246.tif 000004
【図４】
0004021246.tif 000005
【図５】
0004021246.tif 000006
【図６】
0004021246.tif 000007